Podtech/llm-jp-corpus-v4-ja_patent huggingface dataset:
(57)【要約】【課題】寝ぐせ取り効果と揮発性に優れ、かつ揮発後に吸湿しない整髪料を提供する。 【解決手段】整髪料は、オクチルドデカノールを全体に対し５０重量％以上９０重量％以下と、水を全体に対し５重量％以上５０重量％以下と、を含有する。オクチルドデカノールは保湿性があるにもかかわらず揮発性を有する。従って、髪につけてから寝ぐせが取れるまでの間は保湿し、寝ぐせが取れた後は揮発する。従って、寝ぐせを採るのに適し、かつ整髪後に吸湿して髪がべたつくことはない。なお、必要に応じてエチルアルコールを添加してもよい。 【選択図】なし【特許請求の範囲】
【請求項１】
オクチルドデカノールを全体に対し５０重量％以上９０重量％以下と、
水を全体に対し５重量％以上５０重量％以下と、
を含有する整髪料。
【請求項２】
エチルアルコールを全体に対し５％重量以上４０重量％以下さらに含有する請求項１記載の整髪料。
【発明の詳細な説明】
【技術分野】
【０００１】
本発明の実施形態は、寝ぐせ取りに適した整髪料に関する。
【背景技術】
【０００２】
シャンプーをした後によく髪を乾燥させないで寝ると寝ぐせがつくことはよく知られている。 
この点に関し、グリコール類を含有する整髪料が提案されている。
しかし、グリコール類は揮発性がすぐれず、雨の日などの湿気が多い日には吸湿し、却ってヘアスタイルが乱れることがある。 
さらに、ポリオキシエチレンアルキルエーテルを全体に対して５〜７０重量％と、オクチルドデカノールを全体に対して最大で３５重量％と、を含有する整髪料が提案されている。
しかし、ポリオキシエチレンアルキルエーテルはグリコール類と同様に吸湿性があり、雨の日などの湿気が多い日には吸湿し、却ってヘアスタイルが乱れることには変わりない。
また、ポリオキシエチレンアルキルエーテルなどの界面活性剤は、多量に使用すると髪を傷めることが多い。
【先行技術文献】
【特許文献】
【０００３】
【特許文献１】特開２００５−８２５２０号公報
【特許文献２】特開昭５５−１４７２１６号公報
【発明の概要】
【発明が解決しようとする課題】
【０００４】
従って、寝ぐせ取り効果と揮発性に優れ、かつ揮発後に吸湿しない整髪料が求められている。 
【課題を解決するための手段】
【０００５】
上記の課題を解決するために、本発明の一実施形態は、オクチルドデカノールを全体に対し５０重量％以上９０重量％以下と、水を全体に対し５重量％以上５０重量％以下と、を含有する整髪料を含有する整髪料を提供する。 
【発明を実施するための形態】
【０００６】
以下、整髪料の一実施形態について、詳細に説明する。 
本実施形態の整髪料は、オクチルドデカノールを全体に対し５０重量％以上９０重量％以下と、水を全体に対し５重量％以上５０重量％以下と、含有することを特徴とする。 
オクチルドデカノールは保湿性があるにもかかわらず揮発性を有する。従って、髪につけてから寝ぐせが取れるまでの間は保湿し、寝ぐせが取れた後は揮発する。オクチルドデカノールは全体に対して、５０重量％以上含有させることが好適である。
従って、寝ぐせを採るのに適し、かつ整髪後に吸湿して髪がべたつくことはない。 
【０００７】
以下、実施例を挙げる。百分率はすべて全体に対する重量百分率である。
（実施例１） 
オクチルドデカノール  ５０％ 
水                    ５０％ 
（実施例２） 
オクチルドデカノール  ７０％ 
水                    ３０％ 
（実施例３） 
オクチルドデカノール  ９５％ 
水                      ５％ 
【０００８】
本実施形態の整髪料は、エチルアルコールを適宜含有していてもよい。以下実施例を挙げる
（実施例４） 
オクチルドデカノール  ５０％ 
エチルアルコール      ４０％ 
水                    １０％ 
（実施例５） 
オクチルドデカノール  ７０％ 
エチルアルコール      ２５％ 
水                      ５％ 
（実施例６） 
オクチルドデカノール  ９０％ 
エチルアルコール        ５％ 
水                      ５％ 
【０００９】
（対照例）
オクチルドデカノール  ３５％ 
エチルアルコール      １０％ 
水                    ５５％ 
【００１０】
以下、比較結果を述べる。 
寝ぐせのついた髪に上記の各例の整髪料を付け、ブラシでとかし、自然乾燥させて効果を比較した。 
寝ぐせ取り効果の最も高い例は実施例３であった。 
揮発性の最もよい例は実施例４であった。 
寝ぐせ取り効果と揮発性のバランスが最も優れているのは実施例５であった。 
いずれの実施例も、寝ぐせ取り効果、揮発性ともに対照例より優れていた。 
【００１１】
以上述べたように、本実施形態の整髪料はオクチルドデカノールを全体に対し５０重量％以上９０重量％以下と、水を全体に対し５重量％以上５０重量％以下と、を含む。 
従って、寝ぐせ取り効果と揮発性に優れ、かつ揮発後に吸湿しないという効果がある。
【００１２】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
(57)【要約】      （修正有）【課題】従来の買い物をする時は、手押し式のカートに品物を載せて歩き回っていたが、売り場が広いために移動するのが大変だった。自分で買い物カートを手で押して歩くことなく、電動式の乗物に乗って、行きたい方向に自分で運転し買い物ができる乗り物を提供する。【解決手段】人が後輪の上のステップ１に乗り、Ｔ形ハンドル２にて方向を決め、Ｔ形ハンドルに付いている握り形の速度調整グリップ３にて速度を調整して前進する。停止する時は足踏みブレーキ４を踏み込むことで停止することが出来る。停止を保持する場合は、Ｔ形ハンドルに付いているブレーキレバー５を使用する。走行スピードは０〜１５Ｋｍ／時ぐらいとする。自走式のカートの乗り自分の行きたい方向へ、自分の良い速さで買い物をして回ることができる。【選択図】図１
2014133541.tif 000002
【特許請求の範囲】
【請求項１】
人が乗って運転できる電動式の買い物カートで、方向を決めるハンドルと速度調整の装置を有し、ブレーキ装置も付いている買い物かごを載せることが出来る乗物。
【発明の詳細な説明】
【発明の分野】
【０００１】本発明は自分で運転できる電動式の乗物で荷物を載せることができる４輪カートである。
【背景技術】
【０００２】従来の買い物をする時は、手押し式のカートに品物を載せて歩き回っていたが、売り場が広いために移動するのが大変だった。
【発明の開示】
【発明が解決しようとする課題】
【０００３】従来のように自分で買い物カートを手で押して歩くことなく、電動式の乗物に乗って、行きたい方向に自分で運転し買い物ができるようにした。
【課題を解決するための手段】
【０００４】従来の買い物カートに電動機を取り付けて、人が立って乗ることができるステップを取り付けた。運転はＴ形の棒ハンドルで移動方向を決めることができ出来、握り式のアクセルにて速度を調整できるようにした。またステップの上に脚踏み式のブレーキを取り付けた。
【本発明の効果】
【０００５】本考案の電動式カートにて動き回ることが出来て買い物が楽になった。
【図面の簡単な説明】
【０００６】
【図１】本発明の図面
【発明を実施するための形態】
【０００７】以下、本発明の実施形態を説明する。
人が後輪の上のステップ▲１▼に乗り、Ｔ形ハンドル▲２▼にて方向を決め、Ｔ形ハンドルに付いている握り形の速度調整グリップ▲３▼にて速度を調整して前進する。停止する時は足踏みブレーキ▲４▼を踏み込むことで停止することが出来る。
停止を保持する場合は、Ｔ形ハンドルに付いているブレーキレバー▲５▼を使用する。
走行スピードは０〜１５Ｋｍ／時ぐらいとする。
【符号の説明】
【０００８】１  プレート
２  Ｔ形ハンドル
３  速度調整グリップ
４  脚踏みブレーキ
５  手動式固定ブレーキ
６  買い物カゴ乗せ台
７  後輪
８  前輪
９  駆動用モーターとミッション
【図１】
2014133541.tif 000003
(57)【要約】      （修正有）【課題】液体容器使用時における注ぎ時に液が垂れるのを防止するために、注ぎ口部分の下に、シャンプーハット状の傘を付け、液が垂れるのを防止した液体鹸容器の液垂防止器具を提供する。【解決手段】液体受け皿１は、注ぎ口の下に、シャンプーハット状の傘を付け、液が垂れるのを防止した。さらに、傘と容器との間上下に、円状のゴム製パッキン２を設けシャンプーハット状の傘を挟み込むようにし、受けた垂れた液体を吸い取る綿・テイッシュ等を吸水材３として必要に応じて敷き詰められるようにしこれをパッキンや両面テープ４等で固定できるようにし、容器を斜めに傾け乃至逆さにして使用するときに再び垂れることを防止する工夫を取り入れた。環境負荷低減のため、材料は１リットルペットボトルを切断して利用できる。【選択図】図１
2014133589.tif 000002
【特許請求の範囲】
【請求項１】
液体受け皿は、注ぎ口の下に、シャンプーハット状の傘を付け、液が垂れるのを防止した。さらに、傘と容器との間上下に、円状のゴム製パッキンを設けシャンプーハット状の傘を挟み込むようにし、且つシャンプーハット状の傘の中に受けた垂れた液体を吸い取る綿・テイッシュ・キチンペーパー・コーヒーフィルター等を吸水材として必要に応じて敷き詰められるようにしこれをパッキンや両面テープ等で固定できるようにし、容器を斜めに傾け乃至逆さにして使用するときに再び垂れることを防止する工夫を取り入れた。環境負荷低減のため、材料は１リットルペットボトルを切断して利用し、また液体に応じて、紙コップやお弁当用のアルミニウム箔等を代用可能とし、使用毎に使い捨て可能とし、衛生状態を良好に保てる工夫をした。以上の材料は、廉価で入手が容易であり、東日本大震災等の自然災害時における避難所生活など非常時における活用性をも考慮した。
【発明の詳細な説明】
【技術分野】
【００１】  この発明は、先に液体石鹸容器使用時におけるポンプ部分の上下作動時に液が垂れるのを防止するために、ポンプ部分の下に、シャンプーハット状の傘を付け、液が垂れるのを防止したものを出願したが、これ以外の液体容器の液垂防止装置に関するものである。
【技術背景】
【００２】  従来は、液が垂れるのを防止するための中栓等を設ける液体容器があるが、ないものはポンプ式液体石鹸容器と同様に液垂を防止する器具が必要と考えられた。
【発明の概要】
【発明が解決しようとする課題】
【００３】  ポンプ式液体石鹸容器使用時、ポンプ部分の上下作動時に液が下に垂れ、容器を置く床面を液体石鹸水が覆い、手のみならず床を洗う必要があり、液体石鹸容器の液垂防止器具を出願した。これ以外の液体容器、特に粘着性のある液体の容器、例えば衣食住における衣として、衣料用液体洗剤容器、食として焼き肉のたれやごま油、ドレッシグ等液体調味料容器、住として粘着のりや液体ボンド・接着剤等の液体接着剤やペンキ等液体塗液容器や水回り液体洗浄容器で、液が垂れるのを防止するための中栓等を設けない液体容器は、同様に液体を容器から注ぎ使用する際、液体が容器の外を伝って液が下に垂れ、保持する手や置く床を洗う・拭う必要がある。本発明は、この課題を解決するためになされたものである。
【課題を解決するための手段】
【００４】  容器を注ぐ注ぎ口の下に、シャンプーハット状の傘を付け、液が垂れるのを防止した。さらに、傘と容器との間に、円状のゴム製パッキンを設け、液漏れを防いだ。ポンプ式液体石鹸容器と違い、容器を斜めに傾け乃至逆さにして使用することがあった。このため、円状のゴム製パッキンは、傘と容器との間上下に、円状のゴム製パッキンを設けシャンプーハット状の傘を挟み込むようにし、且つシャンプーハット状の傘の中に受けた垂れた液体を吸い取る綿・テイッシュ・キチンペーパー・コーヒーフィルター等を吸水材として必要に応じて敷き詰められるようにしこれをパッキンや両面テープ等で固定できるようにし、容器を斜めに傾け乃至逆さにして使用するときに再び垂れることを防止する工夫を取り入れた。環境負荷低減のため、材料は１リットルペットボトルを切断して利用し、また液体に応じて、紙コップやお弁当用のアルミニウム箔等を代用可能とし、使用毎に使い捨て可能とし、衛生状態を良好に保てる工夫をした。以上の材料は、廉価で入手が容易であり、東日本大震災等の自然災害時における避難所生活など非常時における活用性をも考慮した。
【発明の効果】
【００５】液体が、保持する手や置く床に垂れなくなった。これは、シャンプーハット状の傘が液体を受け止めたからである。
【図面の簡単な説明】
【００６】
【図１】
2014133589.tif 000003
【図２】
2014133589.tif 000004
【発明を実施するための形態】
【００７】以下、本発明の実子の形態について説明する。
（イ）液体受け皿は、注ぎ口の下に、シャンプーハット状の傘を付け、液が垂れるのを防止した。さらに、傘と容器との間上下に、円状のゴム製パッキンを設けシャンプーハット状の傘を挟み込むようにし、且つシャンプーハット状の傘の中に受けた垂れた液体を吸い取る綿・テイッシュ・キチンペーパー・コーヒーフィルター等を吸水材として必要に応じて敷き詰められるようにしこれをパッキンや両面テープ等で固定できるようにし、容器を斜めに傾け乃至逆さにして使用するときに再び垂れることを防止する工夫を取り入れた。環境負荷低減のため、材料は１リットルペットボトルを切断して利用し、また液体に応じて、紙コップやお弁当用のアルミニウム箔等を代用可能とし、使用毎に使い捨て可能とし、衛生状態を良好に保てる工夫をした。以上の材料は、廉価で入手が容易であり、東日本大震災等の自然災害時における避難所生活など非常時における活用性をも考慮した。
【符号の説明】
【００８】１  液体受け皿
２  パッキン
３  吸水材
４  両面テープ
【図１】
2014133589.tif 000005
【図２】
2014133589.tif 000006
【手続補正書】
【提出日】平成25年3月23日(2013.3.23)
【手続補正１】
【補正対象書類名】明細書
【補正対象項目名】００６
【補正方法】変更
【補正の内容】
【００６】
【図１】本発明の正面図及び斜め図である。
【図２】本発明の使用状態を示す断面図である。
【手続補正２】
【補正対象書類名】図面
【補正対象項目名】全図
【補正方法】変更
【補正の内容】
【図１】
2014133589.tif 000007
【図２】
2014133589.tif 000008
(57)【要約】【課題】走行中の電気自動車に対して安全かつ効率的な非接触給電を行う。【解決手段】  交差点等車両の停止目標地点上流惰性走行可能距離範囲内（惰性走行領域内）に非接触給電領域を設け、車両が前記非接触給電領域内を惰性走行中に、道路側から車両側に対して、非接触給電を行う。  【選択図】  図１
2014133538.tif 000002
【特許請求の範囲】
【請求項１】
車両停止点の上流惰性走行領域内（惰性走行可能距離範囲内）に非接触給電のための給電領域を設け、車両が給電領域内を惰性走行中に、道路側から車両側に対しての非接触給電をおこなうことを特徴とする非接触給電方法。
【発明の詳細な説明】
【技術分野】
【０００１】
本願発明は、走行中の電気自動車に対して非接触で効率的に給電する非接触給電方法に関する。
【背景技術】
【０００２】
電気自動車への非接触給電方式として、マイクロ波方式、電磁誘導方式、磁気共鳴方式（特許文献３）等がある。これら非接触給電を移動中の車両に効率的に行う方法として、マイクロ波方式においては、マイクロ波発生装置で発生したマイクロ波の伝搬経路を車両の移動状態に対応して切り替える方法（特許文献１）、電磁誘導方式においては、車両からの車両位置情報、アクセル位置情報、あるいは信号機からの信号状態情報から、送電側で送電コイルの通電タイミングを制御して、受電に伴うエネルギー変換ロスを抑制する方法（特許文献２）、等が開示されている。
【０００３】
一方、車両減速時の省エネルギー走行方法として、目標停止点までの間、車両の有している運動エネルギーを最大限有効に活用しての惰性走行をおこなう走行制御方法（特許文献４）が開示されている。
【先行技術文献】
【特許文献】
【０００４】
【特許文献１】特開２００８−９２７０３
【特許文献２】特開２０１０−２６８６６１
【特許文献３】ＷＯ２０１０／０４１３２１
【特許文献４】特開２０１１−０４６２７２
【発明の概要】
【発明が解決しようとする課題】
【０００５】
走行中の車両に対する非接触給電においては、いずれの非接触給電方式においても、給電効率を上げるためには、低速走行が要求される。しかし減速のために制動（摩擦制動あるいは回生制動）を行うことは車両のエネルギー利用効率を低下させるとともに、給電を受けない車両にとっては、給電を受けている車両が走行の妨げとなる恐れもある。走行の妨げは、専用車線を設ければ解決されるが、専用車線設置には限界がある。
これら問題に対して、本願発明はその解決策を提供しようとするものである。
【課題を解決するための手段】
【０００６】
車両が減速を行う場合の最も運動エネルギー利用効率の高い走行方法は、目標停止点に対して、あるいは目標速度まで減速される間、最大限即ち惰性走行可能距離、惰性走行を行うことである。上記惰性走行可能距離惰性走行を行うことによって、車両は惰性走行開始直前に有している運動エネルギーを車両走行に最大限活用しての減速走行が可能となる。
【０００７】
ここで、惰性走行可能距離Ｄiとは惰性走行を惰性走行開始速度ｖs から惰性走行終了速度ｖeまで行う場合の走行距離であり、（数１）で示される。
（数１）
Ｄi ＝（ｖs2 −ｖe2 ）／（２・αip ）
≒（ｖs2 −ｖe2 ）／（αis −αie ）
但し、
Ｄi ：惰性走行可能距離
ｖs ：惰性走行開始速度
ｖe ：惰性走行終了速度
αip ：惰性走行開始速度ｖs から惰性走行終了速度ｖe の間の惰性走行減速度実効値
αis ：速度ｖs 時の惰性走行減速度
αie ：速度ｖe 時の惰性走行減速
である。
【０００８】
従って、目標停止点上流の惰性走行可能範囲内に非接触給電装置を設置することによって、非接触給電を受ける、受けないにかかわりなく、車両は惰性走行による省エネルギー走行が可能になると同時に、惰性走行可能範囲内を走行するすべての車両が惰性走行を行うことによって、非接触給電を受ける車両の、非接触給電を受けない車両に対する走行妨害となる恐れも解消する。
さらに、非接触給電を受ける車両においては、惰性走行中に給電を受けることから、給電中に加速走行、定速走行、あるいは制動走行による電力消費抑えられ、給電制御が容易にかつ高安定になる。
【０００９】
上記において惰性走行可能範囲は、車両状態によって、また惰性走行開始時の走行速度によって変化する。従って、非接触給電を効率的に行うための走行速度制限がある場合は、車両の惰性走行による非接触給電開始地点通過時速度を上記制限速度以下となる様、惰性走行開始時速度を設定する必要がある。
さらに、上記惰性走行領域内への非接触給電設備設置は、非接触給電の方式、すなわち、電波方式、電磁誘導方式、あるいは磁気共鳴方式等方式の如何にかかわらず可能である。
【発明の効果】
【００１０】
本願発明によって、非接触給電システムを交差点等の上流に設置するうえでの交通安全上の問題が解決できると共に、非接触給電による充電動作中の車両の省エネルギー性能も確保できることになる。
【図面の簡単な説明】
【００１１】
【図１】本願発明の、電磁誘導方式による、非接触給電方法説明のためのシステム概念図である。
【発明を実施するための形態】
【００１２】
図１において、惰性走行領域（惰性走行可能距離範囲）は車両１の種類（形状）、車両状態（積載量、タイヤ状況、）、道路状態（路面状態、勾配）および走行状態（惰性走行開始時速度）等によって変化する。従って本願発明においては、給電を行うべき車両に対応する惰性走行可能距離中の最小距離範囲内に給電領域を設け、車両が、当該車両の惰性走行可能距離範囲内を惰性走行中、前記給電領域（給電設備の設置されている領域）に侵入したことを確認して給電を開始するように設定する。
【００１３】
尚、本願発明において給電制御装置における給電制御のための車両位置情報取得は、車両側からの位置情報の通報、あるいは路側に設けた車両センサーからの車両通過情報の通報等によって可能である。
【００１４】
上記の如く設定された給電領域を通過する車両が給電を受けることによって、車両の有している運動エネルギーは惰性走行に有効に活用されると同時に、給電設備から車両への給電も車両が加速走行、定速走行、あるいは回生制動中に行われることが防止でき、全体的に簡易でエネルギー利用効率のよい給電が可能となる。
【産業上の利用可能性】
【００１５】
本願発明によって、非接触給電を受ける車両は、当該車両の有している運動エネルギーを最大限に活用した惰性走行中に給電を受けることによって、エネルギー利用効率の良い走行を行うとともに、バッテリーからモータへの電力供給中での非接触給電を避けることができることから、車両側の充電装置を簡易化・高信頼化が可能となり、非接触給電の普及による電気自動車の普及拡大に大いに有効である。
また、非接触給電を受ける車両とそうでない車両の混在走行による交通安全上の問題も、全車両が惰性走行領域を惰性走行することによって解決することができる。
【符号の説明】
【００１６】
図１において、
１：車両、
２：受電コイルを含む受電装置、
３：道路面、
４：送電コイル、
５：給電制御装置、
６：給電線
（数１）において、
Ｄi ：惰性走行可能距離
ｖs ：惰性走行開始速度
ｖe ：惰性走行終了速度
αip ：惰性走行減速度実効値
αis ：速度ｖs 時の惰性走行減速度
αie ：速度ｖe 時の惰性走行減速
【図１】
2014133538.tif 000003
(57)【要約】【課題】上下二段に花を飾ることのできる墓用花立を提供する。【解決手段】いずれも上部に花を挿すための花挿入穴を備えた本体部と引出し部からなる。該本体部の中段には、該可動部を収納するための空洞部が正面から内部に向かって形成されており、該引出し部を手前に引き出すと、該花挿入穴が外に現れるよう構成されている。【選択図】図２
2014091958.tif 000002
【特許請求の範囲】
【請求項１】
正面から内部に向かって空洞部が形成された本体部と、該空洞部に前後にスライド自在に収められた、花挿入穴を有する引出し部からなり、該引出し部を手前に引き出すと、該花挿入穴が外に現れるよう構成された墓用花立。
【請求項２】
該引出し部の底面に前後方向に延びる突条が形成され、該本体部の空洞部床面に該突条が係合する溝が形成されている請求項１に記載の花立。
【請求項３】
該本体部の上面に花挿入穴が形成されている請求項１または２に記載の花立。
【発明の詳細な説明】
【技術分野】
【０００１】
この発明は墓用花立に関する。
【背景技術】
【０００２】
お盆の時期のように墓の参拝人が多いとき、花立の受け入れ能力が不足することが多い。そこで、少しでも多くの花を受け入れることができるよう、花立を二段構造にしたものが知られている（特許文献１）。このものでは、基台の上に垂直軸周りに回動できるよう可動花立を取り付け、次いで、該基台の上に固定花立を載置する。固定花立は、その前面、外側面および底面に面した空洞が設けてあり、この空洞の中に、すでに取り付けてある可動花立が収まる。空洞に収まっている可動花立を、支持軸周りに手前に回動させて、外に振り出すと、それまで隠れていた可動花立の花挿入穴が現れ、固定花立だけでなく回動花立にも花を挿すことができるようになる。
【０００３】
この種の二段花立は構造が複雑になり、製造コストが高くなる欠点がある。また、隣の墓との間に余裕がないと、可動花立を外側に振り出したとき、花立が隣の墓に当たってしまうという問題もある。
【先行技術文献】
【特許文献】
【０００４】
【特許文献１】特許公開２０１１−３８２７８号公報
【発明の概要】
【発明が解決しようとする課題】
【０００５】
この発明は、花をたくさん生けることのできる墓用花立であって、隣の墓との間に余裕がなくとも使用できるものを提供することを課題とする。また、丈夫で、安価に作ることができることも課題とする。
【課題を解決するための手段】
【０００６】
この発明に係る墓用花立は、正面から内部に向かって空洞部が形成された本体部と、該空洞部に前後にスライド自在に収められた、花挿入穴を有する引出し部からなり、該引出し部を手前に引き出すと、該花挿入穴が外に現れるよう構成されている。この花立は、使用しないときは、引出し部を本体部に形成された空洞部の中に収めておけるので、見映えがよい。また、花を生けるときは引出し部を墓の前方に引き出すので、隣の墓との間に余裕がない場合でも使える。
【０００７】
なお、引出し部の底面に前後方向に延びる突条を形成し、本体部の空洞の床面には該突条が係合する溝を形成すれば、引出し部の動きがスムーズになる。
【図面の簡単な説明】
【０００８】
【図１】墓の全体斜視図である。
【図２】花立の斜視図であり、左図は引出し部が本体部に収納された状態を、右図は引出し部を手前に引き出した状態をそれぞれ示す。
【図３】花立の分解斜視図である。
【図４】花立の中央縦断面図である。
【発明を実施するための形態】
【０００９】
この発明の花立１は図１に示すように、墓の前部両翼にそれぞれ設置されるものであって、図２および図３に示すように、石材で形成された柱状の本体部２と引出し部３から成る。
本体部２は上中下の３つのブロック４、５、６からなる。組み立てるときは、まず、下ブロック６の上に中ブロック６を積み上げる。下ブロック６の上面には突起７があり、これが中ブロック５の下面に形成された凹部８に嵌合して、互いにずれないようになっている。
【００１０】
中ブロック５は、引出し部３を収めるための空洞部９を有する。中ブロック５の後部には、円筒形の花挿入穴１０が下向きに開いており、その穴の底には、図4に示すように、後方に向かって水抜き穴１１が開いている。
この中ブロック５に引出し部３をはめ込んだ後、中ブロック５に上ブロック４を積み上げる。上ブロック４にも花挿入穴１０があけてあり、その穴は、中ブロック５の花挿入穴１０と連なっている。花挿入穴１０には金属製の水受けカップ１２を挿入して花を生ける。
【００１１】
引出し部３が本体部２から抜け落ちないようにするため、引出し部３の上面に突起１３を設け、この突起が係合する凹部１４が上ブロック４の下面に形成されている。引出し部３を手前に引くと、該突起１３が該凹部１４の縁に当たって、それ以上、引き出せないようになっている。
【００１２】
引出し部３が前後にスムーズに動くよう、引出し部３の底面には前後方向に延びる突条１５を形成し、下ブロック６には該突条が係合する溝１６を形成する。引出し部３を手前に引き出すときに便利なよう、その前面両側部を一部切り欠いて手掛け１８を形成する。
【００１３】
引出し部３の上面手前には、花挿入穴１７が下に向かって穿設されている。引出し部３に花を生けるときは、引出し部３を手前に引き出し、花挿入穴１７に金属製の水受けカップ１２を挿入して花を生ける。使わないときは、引出し部３を本体部の中に押し込んでおく。この状態では、花挿入穴１７は上ブロック４で覆われるので、花挿入穴１７の中の水受けカップ１２に雨水が溜まることがない。したがって、水が腐って悪臭を発することがないという効果がある。
【符号の説明】
【００１４】
１    花立
２    本体部
３    引出し部
９    空洞部
１０  花挿入穴（本体部の）
１５  突条
１７  花挿入穴（引出し部の）
【図１】
2014091958.tif 000003
【図２】
2014091958.tif 000004
【図３】
2014091958.tif 000005
【図４】
2014091958.tif 000006
(57)【要約】【課題】      車道と歩道の境界ブロックが破損したとき、舗装を取り壊し、根巻コンクリートを取り壊して新品と取り換え、舗装と根巻コンを復旧しなければならないため、期間と経費が、かかっていた。【解決手段】  車道と歩道の境界ブロックが破損したとき、ブロックを補修するために新品と交換せず、既設境界ブロックの亀裂や崩壊した所を切削し、接着剤を塗り炭素繊維メッシュを貼り付け、吹き付けコンクリートを、コンプレッサーで吹き付け、金コテで仕上げる、よって、期間と経費が削減でき、安全に補修が出来る。【選択図】  図１
2014091990.tif 000002
【特許請求の範囲】
【請求項１】
現況既設の車道と歩道の境界ブロックが亀裂や崩壊した時、ブロックを補修するために新品と交換せず、既設境界ブロックの亀裂や崩壊した所を切削し、接着剤を塗り炭素繊維メッシュを貼り付け、吹き付けコンクリートを、コンプレッサーで吹き付け、金コテで仕上げる、歩車道境界ブロック補修システム。
【請求項２】
請求項１で、現況既設の車道と歩道の境界ブロックの補修時の炭素繊維メッシュを、現況既設の車道と歩道の境界ブロックの切削後に穴をあけ、そこにメッシュの一端を入れて一体化して補修する、歩車道境界ブロック補修システム。
【請求項３】
請求項１で、現況既設の車道と歩道の境界ブロックの仕上げは、色付でも漫画図を入れることも出来る、歩車道境界ブロック補修システム。
【請求項４】
請求項１で、吹き付けコンクリートを機材を使わず、人力だけで施工し、仕上げる歩車道境界ブロック補修システム。
【請求項５】
請求項１で、吹き付けコンクリートを特殊モルタルで施工し、仕上げる歩車道境界ブロック補修システム。
【請求項６】
請求項１で、補修高さと幅も自由にできる、歩車道境界ブロック補修システム。
【発明の詳細な説明】
【技術分野】
【０００１】
本発明は、車道と歩道の境界ブロックを補修する土木技術分野です。
【背景技術】
【０００２】
車道と歩道の境界ブロックは、破損することが多いため、新品を交換していた時より、早く安く安全に、新品と交換せず、新品同様に補修する技術。
【先行技術文献】
【特許文献】
【０００３】
【特許文献１】特開２００５―００９２８０
【発明の概要】
【発明が解決しようとする課題】
【０００４】
車道と歩道の境界ブロックが破損したとき、舗装を取り壊し、根巻コンクリートを取り壊して新品と取り換え、舗装と根巻コンを復旧しなければならない。
【課題を解決するための手段】
【０００５】
車道と歩道の境界ブロックが破損したとき、新品と交換せず、私案の補修だけで、新品同様に補修することが出来る。
【発明の効果】
【０００６】
車道と歩道の境界ブロックを、新品と取り換えずに補修できるので、施工時間の短縮と低コストの上に安全に補修することが出来る。
【図面の簡単な説明】
【０００７】
【図１】補修完了の断面図。
【発明を実施するための形態】
【０００８】
車両の交通量が多く、多くの人が歩道を利用する箇所で補修延長が長い所。
【実施例】
【０００９】
車両により、車道と歩道の境界ブロックが壊れて歩道を利用する人の安全が損なう時に、早く安く安全に補修が出来る。
【産業上の利用可能性】
【００１０】
車道と歩道の境界ブロックが壊れた時、早く安く安全に補修が出来るうえに、新品と交換せず補修が出来るため、期間と経費削減のため利用価値が高い。
【符号の説明】
【００１１】
１  仕上がり面
２  補修コンクリート
３  炭素繊維メッシュ
４  接着剤
５  現況既設コンクリート
６  根巻コンクリート
７  車道舗装面
８  歩道舗装面
【図１】
2014091990.tif 000003
(57)【要約】【課題】ゴルフ場においてプレーヤーが使用するスコアカードに、本来のスコア記録の邪魔にならないよう広告スペースを設け、広告媒体としての価値を高める。【解決手段】２つ折りのスコアカードの背面部分の裏表紙側半面に広告スペースを設け、内・外両面を撥水加工し、ホルダーへ収容することなく使用できるようにする。【選択図】図１
2014091035.tif 000002
【特許請求の範囲】
【請求項１】
本発明は、ゴルフ場においてプレーヤーが使用する２つ折りのスコアカードの背面部分の裏表紙側半面に広告スペースを設け、そのスコアカードにおける広告メディアとしての価値を高めつつスコアカード本来の機能を妨げないことを特徴とする。
【請求項２】
本発明は、２つ折りのスコアカードの内・外両面に撥水加工を施し、カードホルダーに収納せずとも使用できることを特徴とする。
【発明の詳細な説明】
【発明が解決しようとする課題】
従来の広告付きスコアカードは３つ折りのものが多く、大型となり印刷コストもかかることから、広告料も高く設定されるため広く普及していない。また広告部分がスコア記入面を覆ってしまう設計のため、そのままでは本来のスコアカードの機能を阻害し、使用するにあたっては逆側に折り込まなければならず、その面倒さからプレーヤーやゴルフ場自体が使用を躊躇するケースがあった。さらに背面部の広告となると、国内のゴルフ場では従来からスコアカードをカードホルダーに収納して使用する慣習から、せっかくの広告が隠れてしまい広告としての効果が薄れてしまう問題があった。
【課題を解決するための手段】
本発明は、２つ折りのゴルフスコアカードの内側面をスコア記入欄とし、外側面の裏表紙側半面に広告スペースを設けることで、スコア記録というスコアカード本来の機能を全く阻害しないうえ、さらに紙表面に撥水加工を施し雨天時にも強度を維持する機能を付加することで、カードホルダーに収納せずに使用できるスコアカードとなり、広告効果を最大限に確保できることを突き止めた。
【発明の効果】
本発明の２つ折り広告付きゴルフスコアカードは、裏表紙側半面に広告スペースを設けることから、広告欄が邪魔にならずそのまま使用でき、２つ折りサイズの小ささから制作コストを抑えて低価格で実現できることで、安価な広告メディアとしてゴルフ場と地元企業とをつなぎ、相乗効果として価値を高められるという利点がある。また、紙表面への撥水加工で雨天時の使用にも耐えられるため、カードホルダーが不要となり、広告効果を最大限に確保しつつゴルフ場のコスト削減にもつながる。
【図面の簡単な説明】
【０００５】
【図１】図１は２つ折りスコアカードの広告欄とスコア記入欄の位置関係を示した説明図である。（実施例１）
【図２】図２は２つ折りスコアカードの広告欄と表紙とを見開いた説明図である。（実施例２）
【発明を実施するための形態】
【０００６】  本発明器具は、切り離されていない１枚の紙の形態により実施され、内・外の両面に撥水加工を施す。
【図１】
2014091035.tif 000003
【図２】
2014091035.tif 000004
(57)【要約】【課題】  本発明は、ゲーム盤とサイコロ状の正六面体のチップを用いることで、３人（複数人）が同時にゲームに参加することができる、３人用のボードゲーム具を提供する。【解決手段】  ゲーム盤（１）の表面に、線の交点（２）を描き、さらに等間隔に小さな線の交点（２）を描き、６１の交点を設け、チップ（３）はサイコロ状の、正六面体（十二面体）を用いて、その六面の一部に３色に着色部（４）を設けたことを特徴とする３人用のボードゲーム具。【選択図】図１
2014091031.tif 000002
【特許請求の範囲】
【請求項１】
ゲーム盤（１）の表面に、線の交点（２）を描き、さらに等間隔に小さな線の交点（２）を描き、６１の交点を設け、
チップ（３）はサイコロ状の、正六面体（十二面体）を用いて、その六面の一部に３色に着色部（４）を設け、
以上のように構成された３人用のボードゲーム具。
【発明の詳細な説明】
【技術分野】
【０００１】  本発明は、ゲーム盤とサイコロ状の正六面体のチップを用いることで、３人（複数人）が同時にゲームに参加することができる、３人用のボードゲーム具に関するものである。
【背景技術】
【０００２】  従来のボードゲーム具は、平面の裏表チップを利用した２人用ゲーム具であった。
サイコロ状の正六面体の、チップを用いることで３人（複数人）が同時にゲームに参加することができるボードゲーム具である。
また、ゲーム盤とサイコロ状の正六面体のチップを正六角形の交点に置くことで、オセロゲームと同じルールで３人がゲームを楽しむことができる。
【先行技術文献】
【特許文献】
【０００３】
【特許文献１】  特開平８−１４４４３７号公報
【特許文献２】  特開平１０−３１４３６８号公報
【特許文献３】  特開平９−２２５０８６号公報
【特許文献４】  特開平９−１０８４０１号公報
【発明の概要】
【発明が解決しようとする課題】
【０００４】  ボードゲーム（オセロゲーム）を行うのに、いままでは、平面の裏表チップを利用した２人用ゲーム具であり、３人が同時にゲームに参加することはできなかった。
立体形のチップを用いることで３人（複数人）が同時にゲームに参加することができ、線の交点にチップを置くことで、オセロゲームと同じルールで３人が同時にゲームに参加できる。
本発明は、いままで２人で行っていたオセロゲームを３人でできるように工夫したものである。
【課題を解決するための手段】
【０００５】  ゲーム盤（１）の表面に、線の交点（２）を描き、さらに等間隔に小さな線の交点を描き、６１の交点を設ける。
チップ（３）はサイコロ状の、正六面体（十二面体）を用いて、その六面の一部に３色に着色部（４）を設ける。
以上のように構成された３人用のボードゲーム具。
【発明の効果】
【０００６】  従来できなかった、３人が同時にゲームに参加することができるようになった。
【図面の簡単な説明】
【０００７】
【図１】  本発明のゲーム盤の平面図である。
【図２】  （ａ）は、本発明のサイコロ状のチップの斜視図である。（ｂ）は、本発明のサイコロ状のチップの各面の説明図である。
【図３】  本発明のゲーム盤のスタート時のゲームチップの置き場所を示した説明図である。
【図４】  本発明のゲームの途中経過を示した説明図である。
【発明を実施するための形態】
【０００８】  本発明の実施の形態について説明する。
図面にもとづいて説明する。
図１は、チップを置くゲーム盤の平面図である。
ゲーム盤（１）の表面に、線の交点（２）を描き、さらに等間隔に小さな線の交点（２）を描き、６１の交点を設ける。
図２は、チップの斜視図である。
チップ（３）はサイコロ状の、正六面体（十二面体）を用いて、その六面の一部に３色に着色部（４）を設ける。
以上のように構成された３人用のボードゲーム具である。
【０００９】  図３〜図４は、３種類のチップを置く場所を示した説明図である。
ほぼ正方形のゲーム盤の中に、正六角形の６１（９１）交点のあるゲーム盤面を用い、チップはサイコロ状の、正六面体（十二面体）を用いて、その６面を３色に色分けして、まず中央の決められた交点に３個ずつ互いにチップを置く。
くじで先手となった人よりチップを置き、相手色のチップを自色で挟み、挟まれたチップを自色に返し、相手のチップを返すことができない交点にチップを打つことはできず、打てる交点がないときはパスとなり、パスの回数に制限はく、返せるチップがある場合、パスをすることは認められず、チップが盤面の６１交点をすべて埋めつくした時点、あるいは打つ場所がなくなった時点でゲーム終了となるボードゲーム具である。
たとえば、３人を赤、白、青の３色とする。
識別できれば、色は何色でもいい。
たとえば、Ｃ５、Ｄ４、Ｄ５を赤、Ｅ３、Ｅ４、Ｆ４を白、Ｅ６、Ｆ５、Ｇ５を青、ゲームの始まりに置く位置を示したものである。
【００１０】  各人が自分のチップの色を決める。
次に、ゲーム盤の決められた場所に、各人がチップを３個づつ置く。
次に、ジャンケン、または、サイコロで親を決める。
親から左回りに順番にチップを置いていく。
親となった人よりチップを置き、相手色のチップを自色で挟み、挟まれたチップを自色に返し、相手のチップを返すことができない交点にチップを打つことはできず、打てる交点がないときはパスとなり、パスの回数に制限はく、返せるチップがある場合、パスをすることは認められず、チップが盤面の６１交点をすべて埋めつくした時点、あるいは、打つ場所がなくなった時点でゲームを終了する。
ルールの基本形は、オセロと同じで、３人がゲームを楽しむことができる。
【符号の説明】
【００１１】１  ゲーム盤
２  線の交点
３  チップ
４  着色部
【図１】
2014091031.tif 000003
【図２】
2014091031.tif 000004
【図３】
2014091031.tif 000005
【図４】
2014091031.tif 000006
(57)【要約】【課題】どの向きからも識別が可能であり、デザイン自由度が高い識別リングを長期保持固定可能な傘のハンドルの考案を提供する。【解決手段】第一発明は、切り欠きのある識別リングが、ハンドル本体と、締付けた際ハンドルに一体となるナット部により固定されることを特徴とする傘のハンドルである。第二発明はナット部中央穴に中軸が貫通した構成を特徴とする傘のハンドルである。【選択図】図１
2014091038.tif 000002
【特許請求の範囲】
【請求項１】
切り欠きのある識別リングが、ハンドル本体と、締付けた際ハンドルに一体となるナット部により固定されることを特徴とする傘のハンドル
【請求項２】
ナット部中央穴に中軸が貫通した構成を特徴とする請求項１記載の傘のハンドル
【発明の詳細な説明】
【技術分野】
【０００１】この発明は傘の識別に関する。
【背景技術】
【０００２】従来の傘において、自身の所有物であることを表示する際にはハンドルに彫刻やペン等での記名、シール貼付などの方法が主に用いられて来た。
従来の考案においては、リングや器具の弾力性を利用してハンドルに識別機能のあるものを固定する方法のものが考えられている。
【先行技術文献】
【特許文献】
【０００３】
【特許文献１】実用新案登録３１３１９５７
【発明の概要】
【発明が解決しようとする課題】
【０００４】ハンドルへの彫刻は加工に時間がかかることに加え、向きによって識別が困難である。ハンドルへのペンでの記入やシール貼付などは頻繁に手が触れる箇所の為、汚れや剥離などにより良好な状態で長期間表示することは難しい。また、弾力性を利用した識別部品の固定は、識別部品の材質やデザインが大幅に限定されることに加え、経年劣化や衝撃による脱落・破損の恐れが高い。
よって、どの向きからも識別が可能であり、デザイン自由度が高い識別リングを長期保持固定可能なハンドルの考案を課題とした。
【課題を解決するための手段】
【０００５】以上の課題を解決するための第一発明は、切り欠きのある識別リングが、ハンドル本体と、締付けた際ハンドルに一体となるナット部により固定されることを特徴とする傘のハンドルである。
また、第二発明はナット部中央穴に中軸が貫通した構成を特徴とする傘のハンドルである。
【発明の効果】
【０００６】第一発明によりハンドルのリング接触部分の寸法と合致する多種多様な素材・彫刻技術・装飾技術を組み合わせた識別リングが全て固定可能となる。
服装や利用場所を想定した識別リングの交換も容易である。
第二発明により緩めたナット部の脱落・紛失を防止できる。
また径の太いジャンプ式折りたたみ傘においてはナット部を緩めた状態でも下ハジキに接触することにより識別リングの意図しない脱落・紛失を防止できる。
【図面の簡単な説明】
【０００７】
【図１】本発明の斜視図
【図２】本発明の識別リング固定時の側面図
【図３】本発明のナット部が下ハジキに接触し、識別リング脱着不可状態の側面図
【図４】本発明のナット部が下ハジキより上に位置することにより、識別リングの脱着可能状態の側面図
【図５】本発明のハンドル径が細い場合の斜視図
【発明を実施するための形態】
【０００８】デザイン自由度が高い識別リングを長期保持固定するという目的を、最小の部品点数かつ単純な構造で実現した。本発明の一実施形態を図１に示す。
（イ）１中軸と接続された３ハンドルの接続付近に５ねじ部と４突出部を設ける。
（ロ）３ハンドルとねじ嵌め合いにより一体となり、緩めた際には１中軸が中央穴に貫通      した状態となる２ナット部を設ける。
（ハ）３ハンドルのリング接触部分の寸法と合致する、１１ハンドル同色リング
（ニ）３ハンドルのリング接触部分の寸法と合致する、傘所有者の好みによる材質・色・      彫刻を含む表面形状の１２〜１４識別リング
本発明は以上の構成よりなる。識別リングの交換・固定するには、２ナット部を手で緩め、ジャンプ式折りたたみ傘においては６下ハジキを１中軸に押し込みながら２ナット部を傘先端方向へ移動させる。
予め嵌め込まれていた１１ハンドル同色リングを６下ハジキの下辺りまで移動させ、１中軸から１１ハンドル同色リングを抜き取る。
新たに用意された１２〜１４識別リングを６下ハジキの下辺りより差し入れ、ハンドルに嵌め込む、４突出部に１２〜１４識別リングの切り欠きが嵌まり回転を防止する。６下ハジキを１中軸に押し込みながら２ナット部を３ハンドル上部まで移動し、４突出部の上端に接触するまで回転させながら５ねじ部を用い締め固定する。使用者によっては接着剤を併用し堅牢に固定しても良い。
【符号の説明】
【０００９】１  中軸
２  ナット部
３  ハンドル
４  突出部
５  ねじ部
６  下ハジキ
１１ａ  ハンドル同色リング
１１ｂ  ハンドル同色リング
１２ａ  識別リング
１２ｂ  識別リング
１３  識別リング
１４  識別リング
【図１】
2014091038.tif 000003
【図２】
2014091038.tif 000004
【図３】
2014091038.tif 000005
【図４】
2014091038.tif 000006
【図５】
2014091038.tif 000007
(57)【要約】【課題】天井や壁の上部も楽に届き、羽部分が落ちたほこりや花粉は吸着し、着脱でき、拭き掃除にも使用できる掃除用具を提供する。【解決手段】プラスティック素材の柄１の曲がった先端５に、折り縮めて柄に引掛けるところ１０を引掛けて、おさえ７をスライドさせることにより羽部分９の着脱が簡単に素早くできる形態にする。【選択図】図６
2014091034.tif 000002
【特許請求の範囲】
【請求項１】
羽部分が着脱できるはたき状の掃除用具
【請求項２】
羽部分がフリース素材で、柄から外した時、拭き掃除ができるはたき状の掃除用具
【発明の詳細な説明】
【技術分野】
【０００１】  この発明は、羽部分を柄から簡単に外し、洗うことができる、はたき状の掃除用具である。
また、羽部分は柄から外した時、拭き掃除に使用できる掃除用具である。
【背景技術】
【０００２】  通常家庭では、壁や物の上の埃や花粉など、はたきではたいて落し、その落ちたものを掃除機で吸引させて掃除している。
しかし、はたきは柄が短く、天井や壁の上には届かない上、落ちたほこりは掃除中に吸ってしまっている。
また、はたき自体は洗うことができないなめ、はたきについたものは、払い落すとき周囲にまき散らしてしまうことになる。
現在はモップ部分が取り外し可能なハンディーモップなどもあるが、使い捨てで不経済な物や、洗って使える形状の物でも分厚く、洗った後乾きづらい、収納時にかさばる等の欠点がある。
【発明が解決しようとする課題】
【０００３】  柄が長くて軽く天井から床まで楽に掃除できて、さらに先端の羽部分は簡単に外せて洗濯できすぐ乾燥し、繰り返し使用できる上、拭き掃除にも使え、使わない時にはたためてかさばらない、はたき状の掃除用具を提案する。
【課題を解決するための手段】
【０００４】  高い天井や壁なども届くよう軽くて長いプラスティック製の柄にし、先端の羽部分を汚れたら洗えるように、着脱可能な形状にする。
その羽部分はフリース素材にし、外すと平面になり、拭き掃除にも使用できるようにする。
【発明効果】
【０００５】  この発明は、軽くて長いプラスティック製の柄で、羽部分が高い天井や壁に楽に届き簡単に埃や花粉などを取ることができる掃除用具である。
柄は細く、先端も小さくすることにより、小さな隙間の埃もとることもできる。
羽部分がフリース素材なため埃を静電気で吸いけ、取った埃は舞い散りにくく、さらに、外して洗えるように着脱できる。
フリース素材の羽部分は化学繊維なので洗剤がなくても埃や油などからめ捕る性質があり柄から外すと拭き掃除にも使用できる。
さらに切りはしがほつれにくいので、様々な形に裁断したまま使用でき、縫い目がない一重なため洗ってもすぐ乾く。
また、平面なのでたたむことができ収納時に場所をとらずに枚数を多く持てるので、汚れたらすぐきれいな物に取り替えられて、いつでも清潔な状態で使用することができる。
そして、使い捨てでない為、繰り返し使えて経済的である。
【図面の簡単な説明】
【０００６】
【図１】  はたき状ダスターの柄である。
【図２】  柄の拡大図である。
【図３】  柄の先端でダスターを固定するためのおさえである。
【図４】  柄におさえをはめた図である。
【図５】  はたき状ダスターの羽部分の平面図である。
【図６】  羽部分の中央を柄にかけた図である。
【図７】  おさえをスライドし羽部分を固定させた図である。
【図８】  はたき状ダスターの全体図である。
【発明を実施するための最良の形態】
【０００７】  本発明は、柄が長くて軽く天井から床まで楽に掃除できて、さらに先端の羽部分は簡単に着脱できるはたき状の掃除用具で、それを図面で説明すれば、プラスティック素材の柄１の曲がった先端５に、折り縮めて柄に引掛けるところ１０を引掛けて、おさえ７をスライドさせることにより羽部分９の着脱が簡単に素早くできる形態のものである。
【符号の説明】
【０００８】  １    柄
２    おさえのストッパー
３    おさえを使っていない時に止めておくため柄にある山
４    おさえを使っている時に止めておくための柄にある山
５    曲がった先端
６    柄の持ち手
７    おさえ
８    おさえが止まるためのおさえにある谷
９    羽部分
１０  織縮めて柄に引掛けるところ
【図１】
2014091034.tif 000003
【図２】
2014091034.tif 000004
【図３】
2014091034.tif 000005
【図４】
2014091034.tif 000006
【図５】
2014091034.tif 000007
【図６】
2014091034.tif 000008
【図７】
2014091034.tif 000009
【図８】
2014091034.tif 000010
(57)【要約】【課題】いすの背もたれに掛けた服、コート、ダウンが床を引きずるという課題があった。【解決手段】一回り大きなハンガーに、折り曲げたコートを通し、いすの背もたれにハンガーを掛ける。【選択図】図２
2014091033.tif 000002
【特許請求の範囲】
【請求項１】
いすの背もたれに、服や、コートや、ダウンを掛けた時に、コートを通し、コートをいすの背もたれに掛けることで、コートが床を引きずらないようにするための、大きなハンガー
【発明の詳細な説明】
【技術分野】
【００１】本発明は，いすの背もたれに、服、コートを掛けたときに、床をコートが引きずらないようにするための、一回り大きなハンガーに関するものである。
【背景技術】
【００２】服、コートをいすの背もたれに掛けた時に、床をひきずることがあった。
【発明の概要】
【発明が解決しようとする課題】
【００３】床を引きずったコートを、引きずらないようにするようにできないか、という課題があった。
【課題を解決するための手段】
【００４】普通に、いすの背もたれにコートを掛け、一回り大きなハンガーにコートを通し、コートを折り曲げて、背もたれにハンガーを掛ける。
写真では、普通の大きさのハンガーだが、一回り大きくすると、コートがシワになることなく、又、コートをハンガーに通しやすい。
又、ハンガーのいすに掛ける部分を、工夫すれば、コートに食い込むこともない。コートの食い込みについては、考案とは関係ないので、その工夫については、省略します。
【発明の効果】
【００５】いすに掛けたコートが床を引きずるということがない。コストも大きなハンガーを用意するだけのコストだけで済む。
コートが床を引きずらない点を発見した点は、シンプルな発想だが、特許に値すると思う。
【発明を実施するための形態】
【００６】コートのシワを防ぐために、ハンガーの幅を広く、又、服を通しやすくするために、大きな通し口にすればベスト。
【図面の簡単な説明】
【００７】
【図１】いすの背もたれに、コートを掛け、ハンガーをコートに通した写真ハンガーをいすの背もたれに掛ける前の写真です。
【図２】本発明の、コートを通したハンガーをいすの背もたれに掛けた写真
【符号の説明】
【００８】１  ハンガー
【図１】
2014091033.tif 000003
【図２】
2014091033.tif 000004